(57)【要約】【課題】  非健常者による操作性を向上した画像形成装置の提供を目的としている。【解決手段】  画像形成装置Ａに設けられた操作部４１には、操作部４１を所定の位置に固定する係合部材４５と、係合部材４５の固定状態を解除するロック解除部材４７と、弾性体５２があり、操作部４１の外側にはフレーム４４が設けられ、フレーム４４は、操作部４１を支持する支持部材５４と、操作部４１をチルトしたときに、係合部材４５と係合して操作部４１を固定するための２つの被係合部材４４２，４４３と、を有し、係合部材４５が上方の被係合部材４４２と係合した状態で、ロック解除部材４７を操作すると、操作部４１は自重により下がり、下方の被係合部材４４３と係合した状態でロック解除部材４７を操作すると、操作部４１は弾性体５２により持ち上げられ、係合部材４５が２つの被係合部材４４２，４４３の中間に保持される。【選択図】図６
2006154596.tif 000002
【特許請求の範囲】
【請求項１】
装置本体の上面に操作部を有する画像形成装置において、
前記操作部は、操作部を所定の位置に固定するための係合部材と、該係合部材の固定状態を解除するロック解除部材と、前記操作部の下面に弾性体を有しており、
前記操作部の外側にはフレームが設けられ、該フレームは、前記操作部を回動可能に支持する支持部材と、前記操作部をチルトしたときに、前記係合部材と係合して前記操作部を固定するための、上下に設けられた２つの被係合部材と、を有し、
前記係合部材が上方の被係合部材と係合した状態で、ロック解除部材を操作すると、前記操作部は、自重により下がり、下方の被係合部材と係合した状態でロック解除部材を操作すると、前記操作部は前記弾性体により持ち上げられ、係合部材が２つの被係合部材の中間に保持されることを特徴とする画像形成装置。
【請求項２】
前記係合部材がピンであり、前記被係合部材が孔であることを特徴とする請求項１記載の画像形成装置。
【請求項３】
前記上下に設けられた２つの被係合部材のうち、下に設けられた前記被係合部材には、前記係合部材を中間位置にガイドするガイド部材が設けられていることを特徴とする請求項１又は２に記載の画像形成装置。
【請求項４】
前記被係合部材にはアース部材が設けられており、前記係合部材は導電性であって、前記被係合部材に係合した時に、前記係合部材に前記アース部材が圧接することを特徴とする請求項１又は３記載の画像形成装置。
【請求項５】
前記アース部材は、２つの前記被係合部材のうち、下方に設けられた前記被係合部材に設けられていることを特徴とする請求項３に記載の画像形成装置。
【請求項６】
装置本体の上面に操作部を有する画像形成装置において、
前記操作部は、操作部を固定するための係合部材と、該係合部材のロックを解除するロック解除部材と、を有しており、
前記操作部の外側にはフレームが設けられ、該フレームは、前記操作部を回動可能に支持する支持部材と、前記操作部をチルトしたときに、前記係合部材を係合することで前記操作部を固定するための、上下に設けられた２つの被係合部材と、を有し、
前記係合部材は、前記ロック解除部材とワイヤーによって接続されており、前記ロック解除部材を操作すると前記係合部材が前記被係合部材から外れることを特徴とする画像形成装置。
【請求項７】
請求項６記載の操作部は、請求項１から５のいずれかに記載の画像形成装置の操作部であることを特徴とする画像形成装置。
【発明の詳細な説明】
【技術分野】
【０００１】
本発明は非健常者による操作性を向上した操作部を有する画像形成装置に関する。
【背景技術】
【０００２】
複合機等の画像形成装置には、装置の上面に操作部が設けられているものがある。操作部は、画像形成装置の状態を表示する液晶パネルとテンキー等のハードキー部を有したものである。これらは上方に向いて配置されており、ユーザは上から見下ろすかたちで使用する。
【０００３】
このような構成の操作部は、床面から１０００ミリメートル前後の高さに配置されているのが一般的である。この配置は、健常者には使いやすい高さであるが、車椅子を利用している非健常者にとっては操作部が目の高さに近い位置にあるため見えにくい。そのような問題を解決するものとして、操作部の下に設けられた角度保持部材を着脱することで操作部の角度を変えるもの（例えば特許文献１）や、ロック解除ノブを引きながら操作部の角度調節を行うもの等、操作部のチルト操作が可能となっている画像形成装置がある。
【特許文献１】特開２００３−３４５０８７号（図５、図６）
【発明の開示】
【発明が解決しようとする課題】
【０００４】
しかし、特許文献１の場合、角度保持部材はねじ止めされており、ドライバで当該ねじを外さないと角度保持部材を外せないため、操作が面倒である。
【０００５】
また、ロック解除ノブによって操作部のチルトを行う画像形成装置の場合、ノブを引きながら操作部のチルトを行う「ながら動作」が必要な構成が多く、チルト機構を本当に必要としている非健常者には使いづらい物となっていた。
【０００６】
そこで、本発明は、非健常者による操作性を向上した画像形成装置の提供を目的としている。
【課題を解決するための手段】
【０００７】
上記目的を達成するために請求項１記載の画像形成装置は、装置本体の上面に操作部を有する画像形成装置において、前記操作部は、操作部を所定の位置に固定するための係合部材と、該係合部材の固定状態を解除するロック解除部材と、前記操作部の下面に弾性体を有しており、前記操作部の外側にはフレームが設けられ、該フレームは、前記操作部を回動可能に支持する支持部材と、前記操作部をチルトしたときに、前記係合部材と係合して前記操作部を固定するための、上下に設けられた２つの被係合部材と、を有し、前記係合部材が上方の被係合部材と係合した状態で、ロック解除部材を操作すると、前記操作部は、自重により下がり、下方の被係合部材と係合した状態でロック解除部材を操作すると、前記操作部は前記弾性体により持ち上げられ、係合部材が２つの被係合部材の中間に保持されることを特徴としている。
【０００８】
請求項２記載の画像形成装置は、前記係合部材がピンであり、前記被係合部材が孔であることを特徴としている。
【０００９】
請求項３記載の画像形成装置は、前記上下に設けられた２つの被係合部材のうち、下に設けられた前記被係合部材には、ガイド部材が設けられていることを特徴としている。
【００１０】
請求項４記載の画像形成装置は、前記被係合部材にはアース部材が設けられており、前記係合部材は導電性であって、前記被係合部材に係合した時に、前記係合部材に前記アース部材が圧接することを特徴としている。
【００１１】
請求項５記載の画像形成装置は、前記アース部材は、２つの前記被係合部材のうち、下方に設けられた前記被係合部材に設けられていることを特徴としている。
【００１２】
請求項６記載の画像形成装置は、装置本体の上面に操作部を有する画像形成装置において、前記操作部は、操作部を固定するための係合部材と、該係合部材のロックを解除するロック解除部材と、を有しており、前記操作部の外側にはフレームが設けられ、該フレームは、前記操作部を回動可能に支持する支持部材と、前記操作部をチルトしたときに、前記係合部材を係合することで前記操作部を固定するための、上下に設けられた２つの被係合部材と、を有し、前記係合部材は、前記ロック解除部材とワイヤーによって接続されており、前記ロック解除部材を押すと前記係合部材が前記被係合部材から外れることを特徴としている。
【００１３】
請求項７記載の画像形成装置は、請求項６記載の操作部は、請求項１から５のいずれかに記載の画像形成装置の操作部であることを特徴としている。
【発明の効果】
【００１４】
請求項１記載の画像形成装置は、装置本体の上面に操作部を有している。前記操作部は、係合部材・ロック解除部材・弾性体を有している。係合部材は操作部を所定の位置で固定するためのものであり、ロック解除部材は、係合部材のロックを解除するものであり、弾性体は操作部の下面に設けられているものである。
【００１５】
操作部の外側にはフレームがあり、該フレームは、支持部材・被係合部材を有している。支持部材は、操作部を回動可能に支持し、被係合部材は、操作部をチルトしたときに、係合部材を係合することで操作部を固定するためのものである。被係合部材は上下２箇所に設けられている。
【００１６】
このような構成の画像形成装置において、係合部材が上方の被係合部材と係合した状態でロック解除部材を操作すると、操作部は自重により下がり、下方の被係合部材と係合した状態でロック解除部材を操作すると、操作部は、弾性体の弾性力によって、係合部材が２つの被係合部材の中間に位置するようになっている。
【００１７】
このようにすることで、「ロック解除部材を押す」、「操作部を下（又は上）にチルトする」というように、単一の動作の組み合わせで操作部のチルトが可能となる。
【００１８】
請求項２記載の画像形成装置は、係合部材がピンであり、前記被係合部材が孔となっている。これにより、操作部のロックがより確実に行われる。
【００１９】
請求項３記載の画像形成装置は、上下に設けられた２つの被係合部材のうち、下に設けられた前記被係合部材には、係合部材を中間位置にガイドするガイド部材が設けられている。これによって、下のから上へ操作部を持ち上げるときにはロック解除部材の操作が不要になり、非健常者でもチルト操作がやりやすい。
【００２０】
請求項４記載の画像形成装置は、被係合部材にはアース部材が設けられており、前記係合部材は導電性であって、前記被係合部材に係合した時に、前記係合部材に前記アース部材が圧接する。また請求項５記載の画像形成装置は、アース部材が２つの被係合部材のうち下方側の被係合部材に設けられている。これによって、操作部上面からの電磁波の発生を抑えることができる。
【００２１】
請求項６記載の画像形成装置は、装置本体の上面に操作部を有しており、操作部は操作部を固定するための係合部材と、該係合部材のロックを解除するロック解除部材と、を有している。
【００２２】
操作部の外側にはフレームが設けられており、操作部を回動可能に支持する支持部材と、前記操作部をチルトしたときに、前記係合部材を係合することで前記操作部を固定するための、上下に設けられた２つの被係合部材が設けられている。
【００２３】
そして、係合部材は前記ロック解除部材とワイヤーによって接続されており、前記ロック解除部材を押すと前記係合部材が前記被係合部材から外れる構成となっている。
【００２４】
このような構成とすることで、操作部の薄型化・省スペース化が可能となっている。
【００２５】
請求項７記載の画像形成装置は、請求項６記載の操作部は、請求項１から５のいずれかに記載の画像形成装置の操作部である。これによって、単一動作の組み合わせによって操作部のチルトが可能となり、非健常者にも使いやすいものとなる。
【発明を実施するための最良の形態】
【００２６】
次に本発明の画像形成装置を、図面を基に説明する。
図１は本発明の実施の形態に係るカラー画像形成装置の構成を示す図である。本発明は、図１のようなカラー画像形成装置だけではなく、モノクロ画像形成装置にも適用が可能である。
【００２７】
図１に示すカラー画像形成装置Ａは、タンデム型カラー画像形成装置であり、原稿自動搬送装置３０、画像読取装置６０、画像書込装置３Ｙ，３Ｍ，３Ｃ，３Ｋ、像担持体１Ｙ，１Ｍ，１Ｃ，１Ｋ、帯電装置２Ｙ，２Ｍ，２Ｃ，２Ｋ、現像装置４Ｙ，４Ｍ，４Ｃ，４Ｋ、定着装置２４、ベルト状の中間転写体６、給紙手段２１Ａ，２１Ｂ，２１Ｃ、搬送系２２等を有するものである。
【００２８】
原稿自動搬送装置３０は両面又は片面の原稿ｄを自動搬送する手段である。画像読取装置６０は、移動式光学系により画像情報が読み取られる装置で、原稿載置台上から給送される多数枚の原稿ｄの内容を、３枚の可動ミラー６０Ｃで反射し、集光レンズ６０Ｂにより、ＣＣＤからなる撮像素子６０Ａに結像して読み取る。
【００２９】
イエロー色の画像を形成する画像形成部１０Ｙは、像形成体としての像担持体１Ｙの周囲に配置された帯電装置２Ｙ、画像書込装置３Ｙ、現像装置４Ｙ及びクリーニング装置８Ｙを有する。マゼンタ色の画像を形成する画像形成部１０Ｍは、像形成体としての像担持体１Ｍ、帯電装置２Ｍ、画像書込装置３Ｍ、現像装置４Ｍ及びクリーニング装置８Ｍを有する。シアン色の画像を形成する画像形成部１０Ｃは、像形成体としての像担持体１Ｃ、帯電装置２Ｃ、画像書込装置３Ｃ、現像装置４Ｃ及びクリーニング装置８Ｃを有する。黒色画像を形成する画像形成部１０Ｋは、像形成体としての像担持体１Ｋ、帯電装置２Ｋ、画像書込装置３Ｋ、現像装置４Ｋ及びクリーニング装置８Ｋを有する。帯電装置２Ｙと画像書込装置３Ｙ、帯電装置２Ｍと画像書込装置３Ｍ、帯電装置２Ｃと画像書込装置３Ｃ及び帯電装置２Ｋと画像書込装置３Ｋとは、潜像形成手段を構成する。
【００３０】
中間転写体６は、無端状のベルトであり、複数のローラにより張架され、回動可能に支持されている。
【００３１】
撮像素子６０Ａ上に結像した画像情報の信号は、図示しない画像処理部に送られる。画像処理部は、アナログ処理、Ａ／Ｄ変換、シェーディング補正、画像圧縮処理等を行った後、画像書込装置３Ｙ，３Ｍ，３Ｃ，３Ｋに各色ごとの信号を送る。
【００３２】
画像書込装置３Ｙ，３Ｍ，３Ｃ，３Ｋでは、レーザ光源としての半導体レーザを用い、半導体レーザが出射した光ビームはポリゴンミラーなどの光学要素により走査光ビームに形成されて被走査体としての像担持体１Ｙ，１Ｍ，１Ｃ，１Ｋに入射し、各色の静電潜像を形成する。
【００３３】
画像形成部１０Ｙ，１０Ｍ，１０Ｃ，１０Ｋより形成された各色の画像は、回動する中間転写体６上に１次転写装置としての転写装置７Ｙ，７Ｍ，７Ｃ，７Ｋにより１次転写されて、合成されたカラー画像が形成される。給紙カセット２０Ａ，２０Ｂ，２０Ｃ内に収容された記録紙ＰＥは、給紙手段２１Ａ，２１Ｂ，２１Ｃにより給紙され、搬送系２２を経て、レジストローラ２３でタイミングを合わせて２次転写装置としての転写装置７Ａに搬送され、記録紙ＰＥ上にカラー画像が２次転写される。カラー画像が転写された記録紙ＰＥは、定着装置２４により定着処理され、排紙ローラ２５に挟持されて機外の排紙トレイ２６上に載置される。
【００３４】
一方、転写装置７Ａにより記録紙ＰＥにカラー画像を転写した後、記録紙ＰＥを分離した中間転写体６は、クリーニング装置８Ａによりクリーニングされる。
【００３５】
５Ｙ，５Ｍ，５Ｃ，５Ｋは、現像装置４Ｙ，４Ｍ，４Ｃ，４Ｋにそれぞれ新規トナーを補給するトナー補給手段である。
【００３６】
図２は本発明の画像形成装置の斜視図である。図２では、画像形成装置Ａの排紙ローラ２５に中折り処理やステープル処理等を行う後処理装置Ｂが接続しており、また手差しトレイのある位置には、大容量給紙装置Ｃが接続されている。
【００３７】
なお、本発明はこのような実施例以外にも、画像形成装置Ａを単体で使用するような場合も実施可能である。
【００３８】
画像形成装置Ａの前面には、下部に給紙カセット２０Ａ，２０Ｂ，２０Ｃがある。これらは、手前に引き出すことで記録紙ＰＥの補給や他のサイズへの交換が行えるようになっている。給紙カセット２０Ａ，２０Ｂ，２０Ｃの上には前扉４０がある。前扉４０を開けると画像形成部１０Ｙ，１０Ｍ，１０Ｃ，１０Ｋや定着装置２４等が現れ、各装置のメンテナンスや現像装置４Ｙ，４Ｍ，４Ｃ，４Ｋのトナー交換といった作業を行うことができるようになる。
【００３９】
画像形成装置Ａの上面のうち原稿自動搬送装置３０より手前側には、操作部４１が設けられている。操作部４１は、コピー枚数等の数値を入力するためのテンキーや、画像形成処理の開始を指示するコピー開始ボタンといった、画像形成部１０Ｙ，１０Ｍ，１０Ｃ，１０Ｋ等により行われる画像形成処理に関する指示及び設定を行うための複数のハードキーが配置されたハードキー部４２と、操作部４１で指定した画像形成枚数や、両面コピーモードか片面コピーモードかといった、現在の画像形成モードが表示される表示部４３を有している。また、表示部４３の表面はタッチパネルになっており、コピーモードの設定等の操作が行えるようになっている。
【００４０】
図３は操作部の上面図である。操作部４１は三方をフレーム４４に囲まれている。フレーム４４は画像形成装置Ａに固定されており、操作部４１はフレーム４４に対して回動可能な状態で設置されている。
【００４１】
図３の操作部４１は、ハードキー部４２が左右に分かれて配置されており、画像形成処理のスタートを指示するスタートボタン４２１や画像形成枚数を入力するテンキー４２２は図の右側のハードキー部４２にある。左側にあるハードキー部４２には、ＦＡＸモードやスキャナモードへモードを変更するためのボタン等、使用頻度の比較的低いボタンが配置されている。また、フレーム４４には右側に画像形成装置Ａの電源スイッチ４４１が配置されている。
【００４２】
操作部４１の内部には、ハードキー部４２や表示部４３の配線をした基板があり、基板の下に操作部４１を固定するための係合部材４５がある。係合部材４５は円柱状のピンであり、先端にテーパが形成されている。配置は操作部４１の側面で中央よりやや前方であり、両側面に１つずつ取り付けられている。それぞれの係合部材４５は、フレーム４４に形成された被係合部材に係合することで操作部４１の角度が変わらないように固定するようになっている。
【００４３】
操作部４１内部の底面には、係合部材４５を保持する保持部材４６が各係合部材４５につき２つずつ設けられており、係合部材４５は保持部材４６に形成された穴にスライド可能な状態で係合されている。また、係合部材４５の中央付近にはフランジ４５１が設けられており、フランジ４５１と２つあるうちの一方の保持部材４６との間にバネ４５２を配置してある。
【００４４】
操作部４１の前面は凹状に窪んだ部分があり、そこに係合部材４５と被係合部材との係合を解除するロック解除部材４７が設けられている。ロック解除部材４７は、左側のハードキー部４２の下方に回転軸４７１を有するレバーとなっている。ロック解除部材４７は、両側面にある係合部材４５に、複数のプーリー４８を介したワイヤー４９で接続されている。ロック解除部材４７を奥に押し込むことでワイヤー４９が係合部材４５を操作部４１の内側へ引っ張る。それによって係合部材４５の先端がフレーム４４に設けられた被係合部材から抜け、ロックが解除される。ロック解除部材４７から手を離すと、係合部材４５に設けられたバネ４５２が係合部材４５を元の位置、すなわちフレーム４４の穴に係合する位置に復帰させようとするため、ロック解除部材４７は係合部材４５に接続されたワイヤー４９によって引っ張られ、元の位置に戻ることとなる。
【００４５】
図４は、操作部を右側面から見た斜視図である。操作部４１の側面には切欠部５０があり、係合部材４５が操作部４１内部から突出するようになっている。切欠部５０の右側には操作部４１のチルトをガイドするためのガイド部材５１があり、そのさらに右側には弾性体５２が取り付けられている。図４では弾性体５２として板バネを使用しているが、本発明ではそのようなものに限定するものではない。また、操作部４１の側面には円柱状のピン５３が設けられており、操作部４１はこのピン５３を軸として回動する。
【００４６】
図５は、フレームの要部を示す斜視図である。フレーム４４の内側の側面で、操作部４１の側面と対向する面には、係合部材４５を係合するための２つの被係合部材４４２，４４３が穿設されている。被係合部材４４２，４４３は、係合部材４５がピン５３を中心に円弧を描いて回動するため、その軌道に合わせて上下に配置されている。係合部材４５が被係合部材４４２に係合している時には、操作部４１の操作面は水平面よりもわずかに下に傾斜した位置に固定される（これを上位置という）。これは健常者にとって使いやすい位置となっている。一方、係合部材４５を被係合部材４４３に係合した時は、操作部４１の操作面の傾斜がより大きくなり、車椅子を使用している非健常者にとって使いやすい位置となる（これを下位置という）。また、被係合部材４４３には樹脂製のガイド部材４４４がある。
【００４７】
支持部材５４は山字型をした樹脂製の部材であり、被係合部材４４２，４４３が穿設されている側面に接するように配置されている。支持部材５４のうち、上面基端部５４１の上方には板状突起５５が設けられており、上面基端部５４１と板状突起５５との間に、操作部４１のピン５３が設置される。
【００４８】
なお、図５はフレーム４４の左側は図示していないが、右側と同様に、被係合部材４４２，４４３とガイド部材４４４及び支持部材５４が配置されている。
【００４９】
図６は操作部をフレームに設置した状態を示す断面図である。これは上下にある被係合部材４４２，４４３のうち、上に穿設された被係合部材４４２に、係合部材４５が係合された状態、すなわち操作部４１が上位置に固定された状態を示している。ピン５３は支持部材５４の上面基端部５４１と板状突起５５との間に挿入されている。ガイド部材５１は支持部材５４の端面５４２を摺動する。端面５４２の先端には突起５４３が形成されており、ガイド部材５１は突起５４３に当たったところで停止する。
【００５０】
操作部４１に取り付けられた弾性体５２は、支持部材５４の上面に当接している。これは、ロック解除部材４７を押した時に、操作部４１が被係合部材４４２と被係合部材４４３との中間位置に止まるようにするためである。弾性体５２の弾性力が強ければ、操作部４１が上位置にある時には、支持部材５４に当接していなくてもよい。
【００５１】
図７は操作部のチルトの状態を示した図である。操作部４１のうち、上位置４１Ａは、係合部材４５が被係合部材４４２に係合した位置であり、健常者にとって使いやすい位置である。下位置４１Ｂは被係合部材４４３に係合部材４５が係合した位置であり、車椅子を使用している非健常者が使いやすい位置である。そして、その中間位置４１Ｃは、係合部材４５が被係合部材４４２，４４３のいずれとも係合していない状態となっている。
【００５２】
操作部４１が、上位置４１Ａの時に、ユーザーがロック解除部材４７を押すと、操作部４１の内部に設けられたワイヤー４９によって係合部材４５が被係合部材４４２から外れる。すると操作部４１は自重によって、弾性体５２の弾性力とつりあう位置、すなわち中間位置４１Ｃまで下がる。中間位置４１Ｃには被係合部材４４２，４４３がないため、上下に自由に回動させることができる状態となっている。
【００５３】
ユーザーはこの状態から操作部４１を押し下げることで、係合部材４５が被係合部材４４３に係合し、操作部４１が下位置４１Ｂに固定される。
【００５４】
一方、操作部４１が下位置４１Ｂにある時に、ロック解除部材４７を押すと、操作部４１は弾性体５２の弾性力で中間位置４１Ｃまで押し上げられる。この状態から、ユーザーが操作部４１を押し上げる。係合部材４５は、被係合部材４４２の位置まで移動したところで、バネ４５２によって操作部４１の外へ向けて押し出され、被係合部材４４２に係合し、操作部４１が上位置４１Ａで固定される。
【００５５】
このように、自由に回動できる中間位置４１Ｃを設けることで、ロック解除部材４７を押す動作と、操作部４１を押し下げる又は押し上げる動作という、２つの単一動作の組み合わせで操作部４１のチルトが可能となり、非健常者にとって使いづらいボタンを押しながら押し下げる又は持ち上げるといった、２つの動作を一度に行う「ながら動作」を排除することができる。
【００５６】
図８は、係合部材と被係合部材との関係を示した図である。被係合部材４４２，４４３はＬ字型に曲げられた板金４４５に設けられている。板金４４５は、ガイド部材４４４とアース部材４４６と共に、画像形成装置Ａの骨格５６に固定されている。
【００５７】
ガイド部材４４４は上部にテーパが設けられており、テーパの上部が被係合部材４４３からわずかに突出した形で固定されている。このようなガイド部材４４４を設けることで、操作部４１が下位置に固定されている場合には、ロック解除部材４７を操作することなく、操作部４１を下から押し上げるだけで上位置にチルトすることが可能となる。すなわち、係合部材４５が被係合部材４４３に係合している状態である下位置４５Ｂから、操作部４１を図８の矢印方向へ押し上げると、係合部材４５はガイド部材４４４のテーパに沿って操作部４１の内部へ押し込まれていき、被係合部材４４３から外れた状態となる。係合が外れると、弾性体５２によって中間位置４５Ｃまで持ち上がる。そのままさらに押し上げると、係合部材４５はバネ４５２の弾性力によって被係合部材４４２に係合して、上位置４５Ａに固定される。
【００５８】
アース部材４４６はＬ字型をした金属製の板バネであり、操作部４１から放出される電磁波を軽減するためのものである。操作部４１は後端、すなわち図３の上端部分でアースを取っているのだが、これだけでは操作部４１の前側のアースが充分ではないため、係合部材４５を操作部４１前側のアースとして使用している。係合部材４５が被係合部材４４３に係合していない状態では、アース部材４４６はほぼ直角になっているが、係合部材４５が係合することで、係合部材４５によってガイド部材４４４側へ押される。この時板バネの復元力によってアース部材４４６は係合部材４５に圧接するため、操作部４１のアースが可能となっている。
【００５９】
図８では、被係合部材４４２にはアース部材４４６が設けられていないが、板金４４５と係合部材４５が接するのである程度のアースはとれる。しかし、被係合部材４４２にアース部材４４６を設けるような実施例も可能である。
【図面の簡単な説明】
【００６０】
【図１】本発明の実施の形態に係るカラー画像形成装置の構成を示す図である。
【図２】本発明の画像形成装置の斜視図である。
【図３】操作部の上面図である。
【図４】操作部を右側面から見た斜視図である。
【図５】フレームの斜視図である。
【図６】操作部をフレームに設置した状態を示す断面図である。
【図７】操作部のチルトの状態を示した図である。
【図８】係合部材と被係合部材との関係を示した図である。
【符号の説明】
【００６１】
Ａ                    画像形成装置
４１                  操作部
４４                  フレーム
４５                  係合部材
４７                  ロック解除部材
４９                  ワイヤー
５２                  弾性体
５４                  支持部材
４４２，４４３        被係合部材
４４４                ガイド部材
４４６                アース部材
【図１】
2006154596.tif 000003
【図２】
2006154596.tif 000004
【図３】
2006154596.tif 000005
【図４】
2006154596.tif 000006
【図５】
2006154596.tif 000007
【図６】
2006154596.tif 000008
【図７】
2006154596.tif 000009
【図８】
2006154596.tif 000010